(57)【特許請求の範囲】
【請求項１】
キーまたはレバーを操作して吹奏する木管楽器において、管体と、この管体の外壁に沿って略平行に架設された芯金と、前記キーおよびレバーが取付けられると共に前記芯金に嵌挿され芯金を支軸として回動可能な複数のキーパイプと、前記芯金の外周面にその円周方向に設けられた少なくと１つの環状凹部を具備し、かつ前記芯金に複数のキーパイプが直列的に相互に接触して嵌挿されていて、前記環状凹部がそのキーパイプ相互の接触部に対応する部位を含む前記芯金の外周面にその円周方向に設けられていることを特徴とする木管楽器。
【発明の詳細な説明】
【０００１】
【発明の属する技術分野】
この発明は、たとえばフル−ト、ピッコロ、オ−ボエ、バス−ン、サクソフォ−ン、クラリネット等の木管楽器に関する。
【０００２】
【従来の技術】
木管楽器、たとえばフル−トは、一般に図３〜図６に示すように構成されている。すなわち、１は管体であり、一端には閉塞部２が、他端には開口部３が設けられている。管体１の閉塞部２の近傍にはマウスピ−ス４が設けられ、管体１の中間部には複数個のト−ンホ−ル５を開閉する複数個のキ−６やレバ−７が設けられている。このキ−６やレバ−７は、ト−ンホ−ル５の近傍の管体１に対して後述するように回動自在に枢支され、キ−６、レバ−７を手指によって押したり離したりしてト−ンホ−ル５を開閉することにより、演奏できるようになっている。
【０００３】
すなわち、管体１の外壁には複数のポスト８が適宜間隔を存して立設されており、これらポスト８の先端部にはポスト８の径方向に孔９が設けられている。ポスト８の孔９には１本の棒状の芯金１０が挿入され、芯金１０の一端部は管体１の先端側のポスト８に、他端部は管体１の基端側のポスト８に固定され、芯金１０の中間部は必要に応じ中間のポスト８の孔９に貫通されている。したがって、芯金１０は管体１の外壁に沿って略平行に架設されている。
【０００４】
前記芯金１０にはキ−パイプ１１が嵌挿されており、このキ−パイプ１１は芯金１０を支軸として周方向に回動自在である。このキ−パイプ１１には前記管体１に設けられたト−ンホ−ル５に対応して前記キ−６やレバ−７がロ−付け等によって固着されている。したがって、キ−６、レバ−７を手指によって押したり離したりすることにより、キ−パイプ１１が芯金１０を支軸として周方向に回動するようになっている。
【０００５】
しかし、芯金１０に嵌挿されるキ−パイプ１１は１本とは限らず、３本以上のキ−パイプ１１を芯金１０に直列的に嵌挿し、中間のキ−パイプ１１の両端部は隣接するキ−パイプ１１と端部相互が圧接されている。また、２本のキ−パイプ１１の場合には各キ−パイプ１１の一端部相互が圧接され、他端部はポスト８に固定されている。さらに、１本のキ−パイプ１１の場合にはキ−パイプ１１の両端部がポスト８に固定されている。
また、図６（ａ）に示すように、芯金１０は、その一端または両端がポスト８の孔９に挿入した状態で、ねじ等によって固定されている場合と、図６（ａ）に示すように、両端がポスト８の孔９に回転自在に軸支されている場合とがあり、いずれにおいても芯金１０は軸方向に移動しないように支持されている。
【０００６】
図６（ａ）に示すように、芯金１０がポスト８に回転不能に保持されているものにおいては、芯金１０にキ−パイプ１１が密接状態に嵌挿されており、芯金１０を支軸としてキ−パイプ１１が摺動しながら周方向に回動するようになっている。また、図６（ｂ）に示すように、芯金１０がポスト８に回転可能に保持されているものにおいては、芯金１０とキ−パイプ１１とがノックピン１２によって連結されていて、キ−パイプ１１と芯金１０がポスト８間において周方向に一体に回動するようになっている。
そして、キ−６、レバ−７を手指によって押すと、キ−パイプ１１が回動してキ−カップ１３に収容されたパッドによりト−ンホ−ル５を閉塞でき、手指を離すと、キ−カップ１３は復帰ばねによって元に復帰するようになっている。
【０００７】
【発明が解決しようとする課題】
ところで、従来の木管楽器においては、芯金１０は外周面が凹凸のない平滑な棒状に形成され、この芯金１０にキ−パイプ１１が密接状態に嵌挿されているため、芯金１０の外周面とキ−パイプ１１の内周面との間には全面にわたって隙間がない。例えば、フル−トの場合、通常は、キ−パイプ１１の外径は３．５ｍｍ、内径は２．５ｍｍであり、芯金１０の外径は２．５ｍｍである。このように芯金１０とキ−パイプ１１とを密接状態に嵌挿している理由は、芯金１０とキ−パイプ１１との間に隙間があると、キ−パイプ１１が微妙にガタついたり、ブレたりし、キ−６を手指で押してもキ−カップ１３内のパッドがト−ンホ−ル５のエッジ全体に対して均一に接触（押圧）されず、ト−ンホ−ル５を確実に閉塞できず、そのために音が出なかったり、所望の音程にならないなどの不都合があるからである。
【０００８】
したがって、芯金１０にキ−パイプ１１は密接状態に嵌挿される必要があるが、キ−６が押されるたびにキ−パイプ１１の内周面と芯金１０の外周面とが全面に亘って摩擦されることになり、この結果、演奏中に摩擦が微妙に強くなってキ−６が動き難くなったり、キ−６の動きが緩慢になったりし、またキ−パイプ１１は前述したように細径であるため、僅かでも変形するとキ−６が動かなくなったりする。
【０００９】
殊に、前述したように、キ−６の操作のたびに芯金１０とキ−パイプ１１とが摩擦されるため、芯金１０およびキ−パイプ１１は経時的に摩耗し、この摩耗によって生ずる金属粉が芯金１０とキ−パイプ１１の間に挟まり、次第にこの金属粉がキ−パイプ１１相互の接触部に詰まってキ−６が動き難くなり、これが演奏中に発生すると、音程が狂ってしまうなどという問題がある。
さらに、芯金１０とキ−パイプ１１とをノックピン１２によって連結した構造のものにおいては、ノックピン１２を芯金１０とキ−パイプ１１とに穿設されたピン孔に打ち込んであるが、ピン孔はノックピン１２が抜け落ちないようにノックピン１２より細径に形成されている。このため、ノックピン１２を打ち込んだとき、その圧力によって芯金１０が微妙に膨張して大径となり、ノックピン１２を打ち込んで固定したキ−パイプ１１の隣のキ−パイプ１１が芯金１０を支軸として回動し難くなるという不都合がある。
【００１０】
この発明は、前記事情に着目してなされたもので、その目的とするところは、芯金に対してキ−パイプを密接状態に維持しながら、キ−操作によって芯金とキ−パイプとの間で摩耗等が生じても、キ−の動きが円滑で、所望の演奏ができる木管楽器を提供することにある。
【００１１】
【課題を解決するための手段】
この発明は、前記目的を達成するために、キーまたはレバーを操作して吹奏する木管楽器において、管体と、この管体の外壁に沿って略平行に架設された芯金と、前記キーおよびレバーが取付けられると共に前記芯金に嵌挿され芯金を支軸として回動可能な複数のキーパイプと、前記芯金の外周面にその円周方向に設けられた少なくと１つの環状凹部を具備し、かつ前記環状凹部は、前記芯金に複数のキーパイプが直列的に嵌挿されていて、そのキーパイプ相互の接触部に対応する部位を含む前記芯金の外周面にその円周方向に設けられていることを特徴とする。
前記構成によれば、キー操作によって芯金とキーパイプとの間に摩耗によって金属粉が生じても環状凹部に溜まり、芯金とキーパイプとは所望の密接状態に維持できる。
【００１２】
【発明の実施の形態】
以下、この発明の実施の形態を図面に基づいて説明する。
図１および図２は第１の実施形態を示すもので、木管楽器としてのフル−トの基本的構成は図３〜図６に示した従来と同一であるので、同一構成部分に同一番号を付して説明を省略し、以下、この発明の要部について説明する。図１および図２に示すように、管体１の外壁に適宜間隔を存して立設されたポスト８の先端部にはポスト８の径方向に孔９が設けられている。ポスト８の孔９には１本の棒状の芯金１０が挿入され、芯金１０の一端部は管体１の先端側のポスト８に、他端部は管体１の基端側のポスト８に固定され、芯金１０の中間部は中間のポスト８の孔９に貫通されている。したがって、芯金１０は管体１の外壁に沿って略平行に架設されている。
【００１３】
前記芯金１０には所定の長さの複数本のキ−パイプ１１が直列的に嵌挿されており、これらキ−パイプ１１は芯金１０を支軸として周方向に回動自在である。これらキ−パイプ１１相互は接触しており、その接触部１４に対応する部位を含む前記芯金１０の外周面にはその円周方向に切削加工等によって環状凹部１５が設けられている。
環状凹部１５の深さは芯金１０が折損する虞がなく、かつ摩擦によって生じる金属粉を溜めることができ、またノックピン１２等を打ち込むことによって生じる芯金１０の微妙な膨張によってキ−パイプ１１の回動が妨げられるのを回避できる程度とする。通常のフル−トであれば、キ−パイプ１１の外径は３．５ｍｍ、内径は２．５ｍｍであり、芯金１０の外径は２．５ｍｍであるが、環状凹部１５の深さは０．１ｍｍ程度とする。また、環状凹部１５の幅は木管楽器の種類によって異なるが、通常は３〜３０ｍｍとする。
【００１４】
このように芯金１０の外周面に部分的に環状凹部１５を設けると、この環状凹部１５に対応する部位においては、キ−パイプ１１との間に隙間ができるが、他の部分は芯金１０の外周面にキ−パイプ１１が密接状態にあるため、キ−６やレバ−７の操作時にキ−パイプ１１がガタつくことはなく、またブレを生じることがない。しかも、環状凹部１５の存在によって、芯金１０およびキ−パイプ１１が経時的に摩耗し、この摩耗によって金属粉が生じても、その金属粉は環状凹部１５に溜まり、芯金１０とキ−パイプ１１の間に挟まってキ−６が動かなくなったり、キ−パイプ１１相互の接触部に金属粉が詰まってキ−６が動き難くなる問題を解消できる。
【００１５】
さらに、芯金１０とキ−パイプ１１とをノックピン１２によって連結した構造のものにおいては、環状凹部１５の部位にノックピン１２を打ち込むピン孔を設けることにより、ノックピン１２を打ち込んだとき、その圧力によって環状凹部１５が微妙に大径となっても、ノックピン１２を打ち込んで固定したキ−パイプ１１の隣の芯金１０が大径になることはなく、キ−パイプ１１が芯金１０を支軸として回動し難くなるという問題を解消できる。
したがって、演奏中にキ−パイプ１１が動き難くなり、キ−６を手指で押してもキ−カップ１３がト−ンホ−ル５のエッジ全体に対して均一に接触（押圧）されず、そのために音が出なかったり、所望の音程にならないなどの事態を未然に防止できる。
また、前記実施形態によれば、フル−トについて説明したが、ピッコロ、オ−ボエ、バス−ンやクラリネット等の木管楽器に適用できる。
【００１６】
【発明の効果】
以上説明したように、この発明によれば、次の効果がある。
キ−操作によって芯金とキ−パイプとの間の摩耗によって金属粉が生じても、芯金に設けた環状凹部に溜まり、またノックピン等の打ち込みによって芯金が微妙に大径となっても、その大径になる部分は環状凹部にとどまり、発生する金属粉やノックピン打ち込みによる芯金の膨張によってキ−パイプの回動等が妨げられることがなく、しかも芯金とキ−パイプとは常に所望の密接状態に維持できる。したがって、キ−操作によって芯金とキ−パイプとの間で摩耗等が生じても、キ−の動きが円滑で、所望の音程の演奏ができ、また調整の手間も省ける。
【図面の簡単な説明】
【図１】この発明の実施形態を示すフル−トの要部を示し、（ａ）は斜視図、（ｂ）はＡ部の拡大した縦断側面図、（ｃ）は端面図。
【図２】同実施形態を示すフル−トの要部を示し、（ａ）縦断側面図、（ｂ）は端面図。
【図３】従来のフル−トの正面図。
【図４】図３の一部を拡大して示す正面図。
【図５】図３のＢ−Ｂ線に沿う断面図。
【図６】従来のフル−トのキ−パイプの取付け構造を示す側面図。
【符号の説明】
１  管体
２  キ−
７  レバ−
１０  芯金
１１  キ−パイプ
１４  接触部
１５  環状凹部
【図１】
0003945847.tif 000002
【図２】
0003945847.tif 000003
【図３】
0003945847.tif 000004
【図４】
0003945847.tif 000005
【図５】
0003945847.tif 000006
【図６】
0003945847.tif 000007